(57)【要約】【課題】  壁に後部カバー取付け用のねじ穴をあけず、給水管の施工誤差を考慮した上で便器自動洗浄装置と壁の間に隙間をあけない便器自動洗浄装置を提供する。【解決手段】  便器が施工されたトイレ壁面から突出して前記便器へ洗浄水を供給する給水配管に設けられた電気式開閉弁を備えたバルブユニットと、便器の使用を検知するセンサからの信号に基いて前記電気式開閉弁を制御する制御ユニットとをカバー内に収納した便器自動洗浄装置であって、前記カバーはトイレ壁面側に位置する後部カバーと、この後部カバーの前方を覆う前部カバーとから成り、前記前部カバーは前記後部カバーに対して固定されており、前記後部カバーは前記バルブユニットとの距離を調整可能な固定位置調整手段を介して前記バルブユニットに対して固定されることにより、前記給水配管が突出した壁面に押し当てられて固定可能であることを特徴とする便器自動洗浄装置とした。【選択図】  図２
2006097277.tif 000002
【特許請求の範囲】
【請求項１】
便器が施工されたトイレ壁面から突出して前記便器へ洗浄水を供給する給水配管に設けられた電気式開閉弁を備えたバルブユニットと、便器の使用を検知するセンサからの信号に基いて前記電気式開閉弁を制御する制御ユニットとをカバー内に収納した便器自動洗浄装置であって、
前記カバーはトイレ壁面側に位置する後部カバーと、この後部カバーの前方を覆う前部カバーとから成り、
前記前部カバーは前記後部カバーに対して固定されており、
前記後部カバーは前記バルブユニットとの距離を調整可能な固定位置調整手段を介して前記バルブユニットに対して固定されることにより、前記給水配管が突出した壁面に押し当てられて固定可能であることを特徴とする便器自動洗浄装置。
【請求項２】
前記固定位置調整手段は前記後部カバー方向に進退するものであって、前記固定位置調整手段の進退方向の傾きを矯正する矯正手段を前記後部カバーに設けたことを特徴とする請求項１記載の便器自動洗浄装置。
【請求項３】
前記バルブユニットと前記固定位置調整手段との間、または、前記固定位置調整手段と前記後部カバーとの間に、水撃による振動を防止する防振具を設けたことを特徴とする請求項１または２に記載の便器自動洗浄装置。
【請求項４】
前記固定位置調整手段は、前記バルブユニットに設けられた雌ねじ穴とこの雌ねじ穴に螺合する位置調整ねじとから成り、この位置調整ねじの緩みを防止する緩み防止手段を設けたことを特徴とする請求項１から請求項３の何れか一項に記載の便器自動洗浄装置。
【発明の詳細な説明】
【技術分野】
【０００１】
本発明は、便器の使用を検出して便器に洗浄水を供給する便器自動洗浄装置の取付構造に関する。
【背景技術】
【０００２】
パブリック用のトイレ設備では、建屋の壁の中に設けた給水配管と便器との間の洗浄水供給流路に配置され、便器の使用を検出して便器に洗浄水を供給する便器自動洗浄装置が採用されている。
この便器自動洗浄装置は、便器本体の直ぐ上にバルブユニット、便器の使用を検出するセンサ及びコントローラ等を内蔵したカバーが壁に固定されている。そして、カバーの下面からはバルブユニットからの給水管を突き出し、便器本体の洗浄水流路にこれを接続している。
便器自動洗浄装置の施工に際しては、まずバルブユニットを壁中の給水配管に接続して、その後カバー固定用の取付け基板の四隅にねじを用いて壁に固定するものである。（例えば、特許文献１参照）
【０００３】
近年、トイレ設備の改修需要の増加に伴い、便器自動洗浄装置だけを新しいモデルに交換するケースが目立ってきている。一方、便器自動洗浄装置はデザイン性を重視するため小型化が進んでいる傾向にある。
【０００４】
しかしながら、従来の便器自動洗浄装置の取付構造では、今まで取り付けていたものよりサイズの小さな便器自動洗浄装置を取り付けると、壁のねじ穴跡が見えて外観性を損なう問題が生じていた。
【０００５】
また、従来の便器自動洗浄装置では、バルブユニットを給水管と洗浄管に接続した後、取付け基板を壁にねじで固定し、最後にカバーをかぶせるため、給水管の壁からの前出寸法が基準値よりも極端に小さい場合は洗浄管とカバーが干渉して施工しにくく、逆に基準値よりも極端に大きい場合は取り付け基板と壁の間に隙間があくという問題がある。
【０００６】
さらに、洗浄管とカバーを干渉しないように取り付けた場合、逆に便器自動洗浄装置の取付け基板と壁との間にわずかな隙間があき、その隙間にゴミを入れるいたずらをされるとごみが取り出しにくく清掃性が悪いなどの問題もあった。
【特許文献１】実開平７−２３０６９号公報
【発明の開示】
【発明が解決しようとする課題】
【０００７】
本発明は、上記問題を解決するためになされたもので、本発明の課題は、壁に便器自動洗浄装置を固定するためのねじ穴をあけることなく、また、壁と便器自動洗浄装置との間に隙間を設けない便器自動洗浄装置を提供することである。
【課題を解決するための手段】
【０００８】
上記目的を達成するために請求項１の発明によれば、便器が施工されたトイレ壁面から突出して前記便器へ洗浄水を供給する給水配管に設けられた電気式開閉弁を備えたバルブユニットと、便器の使用を検知するセンサからの信号に基いて前記電気式開閉弁を制御する制御ユニットとをカバー内に収納した便器自動洗浄装置であって、前記カバーはトイレ壁面側に位置する後部カバーと、この後部カバーの前方を覆う前部カバーとから成り、前記前部カバーは前記後部カバーに対して固定されており、前記後部カバーは前記バルブユニットとの距離を調整可能な固定位置調整手段を介して前記バルブユニットに対して固定されることにより、前記給水配管が突出した壁面に押し当てられて固定可能であるため、壁にねじ穴をあけることなくカバーを取付けることができ、改修時に生じるねじ穴の露出による外観性の低下を防止することができる。また、便器自動洗浄装置と壁の間に隙間をなくすことができ、ゴミ詰まりの問題を解消することができる。
【０００９】
また、請求項２記載の発明によれば、前記固定位置調整手段は前記後部カバー方向に進退するものであって、前記固定位置調整手段の進退方向の傾きを矯正する矯正手段を後部カバーに設けたことにより、固定位置調整手段が後部カバーに対してほぼ垂直の状態で強固に押し当てることができ、後部カバーのガタツキを防止することができる。
【００１０】
そして、請求項３記載の発明によれば、前記バルブユニットと前記固定位置調整手段との間または前記固定位置調整手段と前記後部カバーとの間に、水撃による振動を防止する防振具を設けたことにより、電気式開閉弁の開閉時または洗浄時に生じる給水経路の振動による固定位置調整手段のぐらつきを防止することができる。
【００１１】
さらに、請求項４記載の発明によれば、前記固定位置調整手段は、前記バルブユニットに設けられた雌ねじ穴とこの雌ねじ穴に螺合する位置調整ねじとから成り、この位置調整ねじの緩みを防止する緩み防止手段を設けたことにより、いたずらによって前部カバーに繰り返し外力が加えられても固定位置調整手段の緩みを防止でき、カバーの外れを防止することができる。
【発明の効果】
【００１２】
本発明では、壁に便器自動洗浄装置を固定するためのねじ穴をあけることなく、また、壁と便器自動洗浄装置との間に隙間を設けない便器自動洗浄装置を提供することができる。
【発明を実施するための最良の形態】
【００１３】
以下、図面を参照して本発明の具体的な内容を説明する。
図１は本発明に係わる便器自動洗浄装置を設置したときのトイレ設備の外観図である。図２は本発明に係わる便器自動洗浄装置の分解斜視図である。図３はバルブユニットを給水経路に接続したときの側面図である。図４は後部カバーを金属板で製作したときの固定位置調整手段と矯正手段との取合いを拡大した拡大図である。図５は図４におけるＡ部を拡大した拡大図である。図６は後部カバーと前部カバーの上端部での取合いを示した側面図である。図７は後部カバーと前部カバーの下端部での取合いを示した側面図である。図８は後部カバーを樹脂で製作したときの固定位置調整手段と矯正手段との取合いを拡大した拡大図である。
【００１４】
まず、本発明に関する便器自動洗浄装置を用いたトイレ設備の一例について、図１に示すように、便器自動洗浄装置１は建屋の壁２の中に設けた給水配管３と便器４との間の洗浄水供給流路５に配置され、便器４の使用を人体検出センサー６で検出し、使用後に使用者が立ち去ると便器４に洗浄水を供給するシステムである。
【００１５】
図２に示すように、本実施形態の便器自動洗浄装置１は少なくとも、バルブユニット７と、固定位置調整手段である位置調節ねじ８と、位置調節ねじ８の受け手となる後部カバー９と、バルブユニット７を覆う前部カバー１０と、後部カバー９と前部カバー１０を固定するねじ１１と、洗浄管１２とから成る。
【００１６】
上記に挙げた各部品について詳細に説明する。
図２、図３に示すようにバルブユニット７は少なくとも、電気式開閉弁１３と、バルブ本体１４と、止水栓１５と、給水圧力の変動に対して常に洗浄に必要な所望の瞬間流量を保持する定流量弁１６と、給水配管３に接続するための給水継手１７とで構成された周知のものである。
バルブ本体１４には位置調節ねじ８を螺合するための雌ねじ穴を有するツバ部１８が少なくとも３箇所以上設けられている。
【００１７】
固定位置調整手段である位置調節ねじ８は、バルブ本体１４のツバ部１８の雌ねじ穴に螺合する雄ねじ部を有するが、その先端は雄ねじ部を有しないストレート部であっても構わない。また、雄ねじ部の所定の位置に防振具であるゴム製のＯリング２７を用いて取付ける。さらに、位置調節ねじ８の後部カバー９に対する押えが緩むのを防止する緩み防止手段である金属製のナット２８を取付けている。
【００１８】
後部カバー９は、金属板を使用し中央部には給水配管３との干渉を回避する略Ｕ字形状の切り欠き９ａが設けられ、上端部には前部カバー１０の背部側上端を拘束する拘束座１９が２箇所設けられ、下端部にも前部カバー１０の下端を固定するための固定座２０が２箇所設けられている。そして、バルブ本体１４に設けたツバ部１８に相対する位置に矯正手段であるねじ受け部２１を有する。ねじ受け部２１は金属板を折り曲げ加工した略Ｓ字型の板金２２で一平面に絞り加工で製作された丸穴２１ａを設け、平板金２３の所定の位置に溶接して取付けている。
【００１９】
前部カバー１０は、金属板を使用し前面下方には人体検出センサー６の検出波を透過するための長方形状の切り欠きが設けられ、背面上方には後部カバー９の拘束座１９に対して着脱自在な接合座２４を２箇所設けている。（図６）前部カバー１０の背面下方には後部カバー９の固定座２０との合わせ面になるねじ受け座２６を２箇所有する。（図７）
【００２０】
次に、この便器自動洗浄装置１の施工方法について図３から図７を用いて説明する。
図３を参照すると、便器自動洗浄装置１を施工する時は、給水配管３と洗浄管１２に給水継手１７と洗浄継手２９とでバルブ本体１４を接続連結した後、ナット２８をはめた位置調節ねじ８をツバ部１８に少なくとも３箇所ねじ込む。
【００２１】
図４を参照すると、後部カバー９をバルブユニット７の上方から壁に沿って取付け、位置調節ねじ８を後部カバー９のねじ受け部２１に挿入し、平板金２３まで押し当てて、壁２に後部カバー９を押し当てる。その後、ナット２８をツバ部１８に密着固定する。
このとき、図５に示すように、位置調節ねじ８に取付けられたＯリング２７は、ねじ受け部２１の丸穴２１ａの壁面部２１ｂと接触している。これによって、電気式開閉弁の開閉時または洗浄時に生じる給水経路の振動による位置調節ねじ８や後部カバー９の振動を防止することができる。
【００２２】
後部カバー９の上端の左右には、前側にほぼＬ字状の縦断面として突き出して前部カバー１０の背部側上端を拘束する拘束座１９が設けられており、対する前部カバー１０の上端部内壁には、これらの拘束座１９に対して着脱自在な接合座２０を設けれれている。それによって、後部カバー９を壁に固定した後、図６に示すように互いに引掛けて後部カバー９と前部カバー１０の仮固定を行う。
【００２３】
また、後部カバー９の下端には前面に突き出る固定座２０を左右２ヶ所に設けているので、前部カバー１０のねじ受け座２６と密着させて、固定座２０の中央にある雌ねじ孔３０にねじ１１をねじ受け座２６の前面からねじ込むことによって、後部カバー９と前部カバー１０を完全に固定することができる。（図７）
【００２４】
尚、後部カバー９は金属板に限定されることなく、合成樹脂を用いても同様の効果を発揮することができる。その場合、金属板で製作する場合と異なる点は、図８に示すように後部カバー９に矯正手段であるねじ受け部３１を凹形状に形成し、ねじ受け部３１に防振具であるOリング２７を挿入する点である。以降の施工方法は前述した金属製の後部カバー９のときと同じであるため説明を省略する。
また、防振具はＯリング２７に限定されることなく、例えばシート状のゴム板（図示しない）を金属板または合成樹脂で製作された後部カバー９の位置調節ねじ８が当接する部位に取り付けたり、凹状に形成したゴム製または軟質の合成樹脂で製作した部材の凹みの部分に位置調節ねじ８の先端に取り付けることで、後部カバー９と位置調節ねじ８の間に介在させることで、電気式開閉弁の開閉時または洗浄時に生じる給水経路の振動による位置調節ねじ８や後部カバー９の振動を防止することができる。
【００２５】
以上に説明した構成を採ることにより、後部カバーで位置調節ねじを受ける構造のため壁に取付け用のねじ穴をあけず、位置調節ねじの作用で給水管の施工誤差を考慮した上で便器自動洗浄装置の取付板と壁の間に隙間をあけない便器自動洗浄装置を提供することができ、加えて洗浄時の振動や、使用者がカバーに触ることによる位置調節ねじの緩み防止も可能となる。
【００２６】
本発明では小便器の自動洗浄装置について説明したが、手動式の洗浄装置に適用しても何ら問題ない。
【００２７】
また本発明は、建屋の壁の中に設けた給水配管と、例えば陶器などの水洗器具との間の洗浄水供給流路に配される給水装置に関するため、小便器だけでなく大便器や他の水回り器具への応用も可能である。
【図面の簡単な説明】
【００２８】
【図１】本発明に係わる便器自動洗浄装置を設置したときのトイレ設備の外観図である。
【図２】本発明に係わる便器自動洗浄装置の分解斜視図である。
【図３】バルブユニットを給水経路に接続したときの側面図である。
【図４】後部カバーを金属板で製作したときの固定位置調整手段と矯正手段との取合いを拡大した拡大図である。
【図５】図４におけるＡ部を拡大した拡大図である。
【図６】後部カバーと前部カバーの上端部での取合いを示した側面図である。
【図７】後部カバーと前部カバーの下端部での取合いを示した側面図である。
【図８】後部カバーを合成樹脂で製作したときの固定位置調整手段と矯正手段との取合いを拡大した拡大図である。
【符号の説明】
【００２９】
１…便器自動洗浄装置
２…壁
３…給水配管
４…便器
５…洗浄水供給流路
６…人体検出センサー
７…バルブユニット
８…位置調節ねじ
９…後部カバー
１０…前部カバー
１１…ねじ
１２…洗浄管
１３…電気式開閉弁
１４…バルブ本体
１５…止水栓
１６…定流量弁
１７…給水継手
１８…ツバ部
１９…拘束座
２０…固定座
２１，３１…ねじ受け部
２２…略Ｓ字型の板金
２３…平板金
２４…接合座
２６…ねじ受け座
２７…Ｏリング
２８…ナット
２９…洗浄継手
３０…雌ねじ孔
【図１】
2006097277.tif 000003
【図２】
2006097277.tif 000004
【図３】
2006097277.tif 000005
【図４】
2006097277.tif 000006
【図５】
2006097277.tif 000007
【図６】
2006097277.tif 000008
【図７】
2006097277.tif 000009
【図８】
2006097277.tif 000010